(57)【要約】【課題】所望の容器に装着して貯水空間を形成することで、水補給の手間を軽減することができ、かつ、成形が容易になると共に、運搬の際の嵩張りを少なくすることも可能となり、さらに、生花の寿命を縮めることのないこと。【解決手段】有底の外装容器５０に装着し、支持脚からなる離間距離形成部４０を外装容器５０の底部５０ａに配置させることによって、外装容器５０と不織布からなる導水部１０に接続する吸水保持部２０を収容するホルダ部３０との離間距離を設け、外装容器５０にホルダ部３０の底部３０ａを外装容器５０の底部５０ａから所定距離離して保持することで、外装容器５０の底面との間に水Ｗを貯留する所定容積の貯水部空間Ｓを画成し、貯水部空間Ｓ内の水Ｗを導水部１０から吸水保持部２０に吸収させる。【選択図】図３
2011172696.tif 000002
【特許請求の範囲】
【請求項１】
有底の外装容器に収容された水を吸収する導水部と、
前記導水部に接続され、前記導水部の水を吸い上げて保水し、かつ、生花を保持する吸水保持部と、
前記吸水保持部を収容すると共に、前記外装容器に挿脱自在なホルダ部と、
前記外装容器と前記ホルダ部との離間距離を設ける離間距離形成部とを具備し、
前記外装容器に前記ホルダ部を収容して前記ホルダ部の下端を前記外装容器の底部から所定距離離して保持することで、前記外装容器の底面との間に水を貯留する所定容積の貯水部空間を画成したことを特徴とする着脱式花器。
【請求項２】
前記離間距離形成部は、前記ホルダ部から外周方向に延出したフランジとしたことを特徴とする請求項１に記載の着脱式花器。
【請求項３】
前記離間距離形成部は、前記ホルダ部の下端から下方向に突設した支持脚としたことを特徴とする請求項１に記載の着脱式花器。
【請求項４】
前記離間距離形成部は、前記外装容器の底面から上方向に突設した支持脚としたことを特徴とする請求項１に記載の着脱式花器。
【請求項５】
前記吸水保持部は、その上面が凸曲面形状となっていることを特徴とする請求項１乃至請求項４のいずれか１つに記載の着脱式花器。
【請求項６】
前記ホルダ部は、その一部分に貫通孔を有する底部と当該底部の周縁に立設される側壁部とで構成され、上部開口を有する容器からなることを特徴とする請求項１乃至請求項５のいずれか１つに記載の着脱式花器。
【発明の詳細な説明】
【技術分野】
【０００１】
本発明は、所望の容器に装着して貯水空間を形成することで、水補給の手間を軽減することができる着脱式花器に関するものである。
【背景技術】
【０００２】
近年、花器にセットされた発泡性合成樹脂、即ち、内部に細かな孔を無数に形成した多孔質の柔らかい物質であり、水にひたすと孔内に水を吸い上げる合成樹脂を発泡成形して作られる発泡性合成樹脂等に生花をアレンジして活けるフラワーアレンジメントが人気を集めており、このように花器にセットされた発泡性合成樹脂等を利用してアレンジされた生花は、通常、インテリヤ装飾として室内に配置される。
ところで、これら生花の鮮度を長い間保ち、また、その装飾効果を維持するために、発泡性合成樹脂等への頻繁な水補給は欠かせないものである。しかし、通常、水補給を行うのは人間であることから、うっかり忘れることがあったり外泊等で不可能なことがあったりする。また、頻繁に水補給を行うことは面倒である。
【０００３】
そこで、水補給の手間を軽減することが可能なものとして、特許文献１に水タンク（貯水空間）を設けた花器が開示されている。特許文献１に記載の花器は、その内部が仕切板で区切られて２段構成となっており、仕切り板の下段を水タンクとし、上段に生花が挿入される吸水フォームが載置されるようになっている。また、仕切り板には、吸水紙が貫通する貫通孔が設けられている。よって、特許文献１に記載の花器によれば、予め水タンク内に水を貯留しておけば、吸水フォームに一定期間外部から水を補給しなくても、毛細管現象によって水タンク内に収容された水が吸水紙を介して吸水フォームに吸収されるため、吸水フォームへの水補給の手間を軽減することができる。
【先行技術文献】
【特許文献】
【０００４】
【特許文献１】実公平６−２２２９０号公報
【発明の概要】
【発明が解決しようとする課題】
【０００５】
ところが、特許文献１に記載の花器は、その内部を２段構造とするために、仕切板を組み込まなければならないので、その成形が複雑である。また、水タンクを設ける分だけ花器が大型になるため、購入店からの持ち帰りが不便となったり、生花を生け贈り物として宅急便（登録商標）等で送る場合において包装が大型になり運送代が高くなったりする場合がある。さらに、生花と共に花器もインテリヤ装飾として鑑賞されるにも関わらず、特許文献１に記載の花器によれば、その装飾がメーカー側で設定されることになるため、自分好みの意匠性の花器でない場合もある。
【０００６】
また、特許文献１の記載によれば、水タンクに水を補給するのに、吸水フォームと花器の側壁との隙間から水を流し込む必要があり、このとき、流し込まれた水は上記仕切板の貫通孔から水タンク内に流れ込むため、必然的に吸水フォームを介することになる。よって、生花の切口から流出し吸水フォームに保持されていた有機物や上記隙間に溜まった埃等が外部から流し込まれた水と共に水タンク内に流れ込む可能性があり、水タンク内で細菌が大繁殖する恐れがある。このため、特許文献１に記載の花器においては、常に吸水フォームに水タンク内の水が新鮮な状態で供給されるとは限らず、細菌が大繁殖して汚れた水が吸水フォームに吸収される恐れがあるので、却って、生花の寿命を縮めてしまう可能性がある。また、場合によっては水タンク内から異臭を放つ可能性もある。なお、生花が挿し込まれた吸水フォームを持ち上げ水タンク内に直接水を流し込むことには、せっかくアレンジした生花が崩れてしまうため、無理がある。
また、仕切り板に注水穴を設け、注水穴にパイプを挿し、パイプを介して水タンク内に直接水を流し込む方法も開示されているが、別途パイプを用意しなければならず面倒である。さらに、一度に多量の水を水タンクに追加するのに、吸水フォームと花器の側壁との隙間から水を流し込む場合であっては吸水フォームを介さなければならないことから時間がかかり、また、パイプを介して注水穴に水を流し込む場合であっても注水穴の大きさが限られることからやはり時間がかかる。故に、特許文献１に記載の花器においては、水タンクへの水の補給に手間がかかる。
【０００７】
そこで、本発明は、かかる不具合を解決すべくなされたものであって、所望の容器に装着して貯水空間を形成することで、水補給の手間を軽減することができ、かつ、成形が容易になると共に、運搬の際の嵩張りを少なくすることも可能となり、さらに、生花の寿命を縮めることのない着脱式花器の提供を課題とするものである。
【課題を解決するための手段】
【０００８】
請求項１の発明に係る着脱式花器は、有底の外装容器に挿脱自在な着脱式花器であって、前記外装容器に装着し、離間距離形成部によって前記外装容器と導水部に接続する吸水保持部を収容するホルダ部との離間距離を設け、前記ホルダ部の下端を前記外装容器の底部から所定距離離して保持することで、前記外装容器の底面との間に水を貯留する所定容積の貯水部空間を画成したものであり、前記貯水部空間内の水を前記導水部から前記吸水保持部に吸水させるものである。
【０００９】
ここで、上記導水部は、外装容器に収容された水、即ち、貯水部空間内に貯留する水を吸水するものであり、主に毛細管現象によって吸水できるものであればよく、通常、不織布、紐、金属繊維等が用いられる。
また、上記吸水保持部は、前記導水部に接続され前記導水部の水を吸い上げて保水し、かつ、生花を保持するものであり、生花の位置決めを可能とするものであって吸水機能を有し、かつ、生花への給水を可能とするものであればよく、例えば、発泡性合成樹脂、ゲル状の高分子ポリマー等を使用することができる。そして、この吸水保持部は、固形状、粉末状、粒子状、ゲル状等何れの形態のものであってもよい。なお、上記吸水保持部は、前記導水部の水を吸水できれば何れの位置で前記導水部と接続していてもよい。換言すれば、上記導水部は、上記吸水保持部の内部に配設されていてもよいし、上記吸水保持部の周囲部に配設されていてもよい。また、上記導水部と上記吸水保持部とは、同じ素材で構成されていてもよく、一体的に形成されていてもよい。
ところで、上記生花とは、本発明では、茎や枝をつけたままの切花、葉物、果実、種子等を含むものである。
【００１０】
上記ホルダ部は、前記吸水保持部を収容すると共に、前記外装容器に挿脱自在なものであり、前記吸水保持部を収容できる構造であればよく、容器状またはフレーム状であってもよいし、また、突起等の係合手段や機械的に挿着する手段を介して収容してもよい。
そして、上記離間距離形成部は、前記外装容器と前記ホルダ部との離間距離を設けるものであり、前記ホルダ部の下端を前記外装容器の底部から所定距離離して保持することができるものであればよく、例えば、前記外装容器の底部に配置され、前記ホルダ部と一体または前記外装容器と一体に形成されていてもよいし、別体として前記ホルダ部または前記外装容器に取付けたものであってもよい。特に、前記ホルダ部及び前記外装容器と別体とする場合には複数の高さのものを用意することができる。
【００１１】
請求項２の発明に係る着脱式花器の前記離間距離形成部は、前記ホルダ部から外周方向に延出したフランジであり、前記フランジによって前記ホルダ部を前記外装容器の上端に配置することで、前記ホルダ部の下端を前記外装容器の底部から所定距離離して保持するものである。
【００１２】
請求項３の発明に係る着脱式花器の前記離間距離形成部は、前記ホルダ部の下端から下方向に突設した支持脚であり、前記支持脚によって前記ホルダ部を前記外装容器の底部に立設させることで、前記ホルダ部の下端を前記外装容器の底部から所定距離離して保持するものである。
【００１３】
請求項４の発明に係る着脱式花器の前記離間距離形成部は、前記外装容器の底面から上方向に突設した支持脚であり、前記支持脚によって前記ホルダ部を前記外装容器の底部から上に配置することで、前記ホルダ部の下端を前記外装容器の底部から所定距離離して保持するものである。
【００１４】
請求項５の発明に係る着脱式花器の前記吸水保持部は、その上面が凸曲面形状となっているものであり、前記生花の立体的装飾を容易にさせるものである。
なお、上記吸水保持部の上面を凸曲面形状とする方法は特に問われるものではなく、例えば、切削加工や成形加工によって上記吸水保持部の上面を凸曲面形状とすることができる。
【００１５】
請求項６の発明に係る着脱式花器の前記ホルダ部は、一部分に貫通孔を設けた底部と当該底部の周縁に立設される側壁部とで構成され、上部開口を有する容器からなるものであり、その形態を容器状に形成することで、固形状、粉末状、粒子状、ゲル状等の形態の前記吸水保持部を機械的係合等に限らず収容可能としたものである。
【発明の効果】
【００１６】
請求項１の発明に係る着脱式花器によれば、外装容器に収容された水を吸水する導水部に接続し、生花を保持する吸水保持部がホルダ部に収容されており、このホルダ部を有底の外装容器に装着し、離間距離形成部によって前記外装容器と前記吸水保持部の下端を前記外装容器の底部から所定距離離して保持することで、前記外装容器との間に水を貯留する所定容積の貯水部空間を画成する。
したがって、予め所定容量の水を収容した外装容器に装着して貯水部空間内に水を貯留しておけば、吸水保持部の水が生花によって吸水されたり、蒸発したりした場合であっても、貯水部空間内の水が毛細管現象によって導水部から吸水保持部に吸収されるため、吸水保持部への水補給の手間を軽減することができる。
【００１７】
また、有底の外装容器にホルダ部を装着して貯水部空間を確保するため、成形が容易となる。特に、外装容器にホルダ部が挿脱自在とされるものであるから、所望の外装容器に装着して貯水部空間を確保することができ、それゆえ、購入店からの持ち帰りや宅配便等の運搬の際の嵩張りを少なくすることも可能になる。
加えて、貯水部空間内に水を補給する場合、外装容器からホルダ部を取り外すことで、吸水保持部を介することなく外装容器内に直接水を補給でき、貯水部空間内の水が常に新鮮な状態で導水部を介して吸水保持部に吸収されることになる。故に、生花の寿命を縮めることはない。また、短時間で多量の水を外装容器の貯水部空間に補給することができ、貯水部空間への水補給にも手間がかからない。
【００１８】
このようにして、所望の容器に装着して貯水空間を形成することで、水補給の手間を軽減することができ、かつ、成形が容易になると共に、運搬の際の嵩張りを少なくすることも可能となり、さらに、生花の寿命を縮めることのない着脱式花器となる。
【００１９】
請求項２の発明に係る着脱式花器によれば、前記離間距離形成部は、前記ホルダ部から外周方向に突出したフランジであるから、請求項１に記載の効果に加えて、底が深い前記外装容器にも対応できる。また、前記ホルダ部から外周方向に突出したフランジが前記外装容器の主に側壁部に接触することで、前記吸水保持部の下端を前記外装容器の底部から所定距離離して保持することになるため、前記貯水部空間を略密閉状態とすることができ、前記貯水部空間内の水の蒸発を防止することが可能となる。
【００２０】
請求項３の発明に係る着脱式花器によれば、前記離間距離形成部は、前記ホルダ部の下端から下方向に突設した支持脚であるから、請求項１に記載の効果に加えて、開口が大きめの前記外装容器にも対応できる。
【００２１】
請求項４の発明に係る着脱式花器によれば、前記離間距離形成部は、前記外装容器の底面から上方向に突設した支持脚であるから、請求項１に記載の効果に加えて、ホルダ部の移動が容易となり、生け花を他の個所で行い、それを特定の場所で一体化できる。
【００２２】
請求項５の発明に係る着脱式花器によれば、前記吸水保持部は、その上面が凸曲面形状となっているから、請求項１乃至請求項４のいずれか１つに記載の効果に加えて、生花の立体的装飾が容易にできる。
【００２３】
請求項６の発明に係る着脱式花器によれば、前記ホルダ部は、一部分に貫通孔を有する底部と当該底部の周縁に立設される側壁部とで構成される容器からなり、組み付けに前記吸水保持部及び前記ホルダ部相互間の高い寸法精度を必要とせず、また、固形状、粉末状、粒子状、ゲル状等の形態の前記吸水保持部を機械的係合等に限らずに前記吸水保持部を収容することができる。故に、請求項１乃至請求項５のいずれか１つに記載の効果に加えて、前記吸水保持部の前記ホルダ部への組み付けが容易である。
【図面の簡単な説明】
【００２４】
【図１】図１は本発明の実施の形態１に係る着脱式花器の要部構成を示す分解斜視図及び本発明の実施の形態１に係る着脱式花器が挿入される外装容器の全体斜視図である。
【図２】図２は本発明の実施の形態１に係る着脱式花器を外装容器に挿入した状態を示す全体斜視図である。
【図３】図３は本発明の実施の形態１に係る着脱式花器を外装容器に挿入した状態を示す断面図である。
【図４】図４は本発明の実施の形態２に係る着脱式花器を説明するための説明図であり、（ａ）は本発明の実施の形態２に係る着脱式花器の吸水保持部をホルダ部に挿入した状態を示す断面図、（ｂ）はホルダ部からはみ出た部分の吸水保持部の上部周囲部を容器の開口縁部に向かって押圧変形して接触させた状態を示す断面図である。
【図５】図５は本発明の実施の形態３に係る着脱式花器の要部構成を示す分解斜視図及び本発明の実施の形態３に係る着脱式花器が挿入される外装容器の全体斜視図である。
【図６】図６（ａ）は本発明の実施の形態３に係る着脱式花器を開口が小さめの外装容器に挿入した状態を示す全体斜視図である。図６（ｂ）は本発明の実施の形態３に係る着脱式花器を開口が大きめの外装容器に挿入した状態を示す断面図である。
【発明を実施するための形態】
【００２５】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００２６】
［実施の形態１］
まず、本発明の実施の形態１に係る着脱式花器１の構成について、図１乃至図３を参照して説明する。
【００２７】
図１乃至図３に示すように、本実施の形態１に係る着脱式花器１は、水Ｗを吸収する帯状の不織布からなる導水部１０と、導水部１０に接続され、導水部１０の水を吸水して保水し、かつ、生花Ｆを保持する逆円錐台形状の発泡性合成樹脂からなる吸水保持部２０と、吸水保持部２０を収容する容器としての逆円錐台形状のホルダ部３０から延設された支持脚からなる離間距離形成部４０とを有しており、有底の外装容器５０に挿脱自在とされるものである。
なお、図１及び図３において、吸水保持部２０に挿入保持される生花Ｆは省略されている。
【００２８】
導水部１０は、毛細管現象によって外装容器５０に収容された水Ｗを吸水するものであり、本実施の形態１においては、後述するホルダ部３０の底部３０ａに形成された貫通孔３０ｃに挿入されている。そして、その一端側がホルダ部３０の外部に配設され、その他端側がホルダ部３０の内部に配設されて吸水保持部２０に接続している。具体的には、ホルダ部３０の内部に配設された側の導水部１０は、ホルダ部３０の底部３０ａ上面に沿って配置され、その上に吸水保持部２０が載置され、その吸水保持部２０に接続している。なお、本実施の形態１においては、ホルダ部３０の外部に配設された側の導水部１０の長さ、即ち、ホルダ部３０の底部３０ａの下面から下方に垂下している導水部１０の突出長さは、後述の支持脚からなる離間距離形成部４０の長さ（高さ）以上となるように設定されており、後述するように、本実施の形態１の着脱式花器１が外装容器５０に挿入されて離間距離形成部４０が外装容器５０の底部５０ａ上面に配置した際、ホルダ部３０の外部に配設された側の導水部１０が外装容器５０の底部５０ａ上面に接触するようになっている。
【００２９】
吸水保持部２０は、生花Ｆを保持するもので、生花Ｆの位置決めを行うものであり、本実施の形態１においては、発泡性合成樹脂で構成されている。そして、本実施の形態１においては、この吸水保持部２０は、ホルダ部３０の内部に挿設されており、その下面にてホルダ部３０の底部３０ａ上面に配置された導水部１０に接続し、導水部１０の水を吸い上げて保水自在になっている。なお、吸水保持部２０としては、例えば、オアシス社製の「オアシス（登録商標）」や、東洋クオリティワン社製の商品名「ＰＡＯ−Ｆ」等を用いることができるが、これらのものを用いた場合には、通常、予め十分に水を含んだ状態でホルダ部３０の内部に挿入される。
【００３０】
本実施の形態１のホルダ部３０は、底部３０ａと底部３０ａに一体に形成され底部３０ａの周縁から上方に拡径するように立設されたテーパ状の側壁部３０ｂとから構成されていて開口３０Ａを有しており、この底部３０ａ上面及び側壁部３０ｂの内壁面によって囲まれる内部空間に吸水保持部２０を収容する容器となっている。
ここで、本実施の形態１においては、吸水保持部２０がホルダ部３０の内壁面形状に沿うように形成されている。このため、図３に示すように、本実施の形態１においては、ホルダ部３０の内壁面には吸水保持部２０の周壁面が接触している。
また、ホルダ部３０の底部３０ａの一部分には、貫通孔３０ｃが形成されていて、上述の如く、導水部１０が挿入されている。
そして、本実施の形態１においては、ホルダ部３０の底部３０ａから４つの支持脚からなる離間距離形成部４０が下方向に突設している。
【００３１】
支持脚からなる離間距離形成部４０は、本実施の形態１の着脱式花器１を外装容器５０に挿入した際に、外装容器５０の底部５０ａに配置することで、外装容器５０とホルダ部３０との離間距離を設け、ホルダ部３０の底部３０ａを外装容器５０の底部５０ａから所定距離離して保持するものである。そして、本実施の形態１の離間距離形成部４０は、切削容易な材料、具体的には、合成樹脂材料で構成されている。また、本実施の形態１において、この離間距離形成部４０は、その下面が外装容器５０の底部５０ａに面して本実施の形態１の着脱式花器１を安定して立設できるように、４つの支持脚で構成されている。
なお、本実施の形態１においては、ホルダ部３０も離間距離形成部４０と同一の、しかも連続した合成樹脂材料で一体的に形成されている。
【００３２】
次に、上記のように構成された本実施の形態１の着脱式花器１の使用状態ついて、主に、図２及び図３を用いて説明する。
図２及び図３に示すように、本実施の形態１の着脱式花器１は、別途使用者によって用意される有底の外装容器５０の内部に挿入されて使用される。なお、この外装容器５０としては、例えば、一般的に家庭に普及している飲料用のコップ、茶器等の容器や花器等が使用できる。
【００３３】
ここで、上述の如く、本実施の形態１の着脱式花器１におけるホルダ部３０の底部３０ａには、離間距離形成部４０が下方向に突出形成されているため、図２及び図３に示すように、本実施の形態１の着脱式花器１を外装容器５０に挿入すると、離間距離形成部４０が外装容器５０の底部５０ａ上面に配置し、外装容器５０内において、ホルダ部３０の底部３０ａが外装容器５０の底部５０ａから所定距離離れた位置に保持される。即ち、離間距離形成部４０によってホルダ部３０は外装容器５０内で位置決めされる。
このため、本実施の形態１の着脱式花器１が外装容器５０の内部に装着された状態において、着脱式花器１及び外装容器５０の間には、水Ｗを貯留するための所定容積の貯水部空間Ｓが画成されている。
また、このとき、ホルダ部３０の貫通孔３０ｃに挿入されホルダ部３０の外部に配設された導水部１０の一端は、その長さが離間距離形成部４０の長さ（高さ）以上に設定されているため、外装容器５０の底部５０ａの上面に接触している。
【００３４】
よって、図３に示すように、予め所定容量の水Ｗを入れた外装容器５０に装着された着脱式花器１においては、外装容器５０の底部５０ａ上面に接触した導水部１０の一端から毛細管現象によって貯水部空間Ｓ内の水Ｗが吸収される。また、導水部１０の他端が、生花Ｆ（図示省略）が挿入保持されている吸水保持部２０に接続されているため、導水部１０に吸収された貯水部空間Ｓ内の水Ｗは、更に、吸水保持部２０に吸吸される。
したがって、本実施の形態１の着脱式花器１によれば、予め所定容量の水Ｗを入れた外装容器５０に装着して貯水部空間Ｓ内に水Ｗを予め貯留しておくことで、生花Ｆ（図示省略）が挿入保持されている吸水保持部２０の水が生花Ｆによって吸水されたり、蒸発したりした場合であっても、吸水保持部２０に貯水部空間Ｓ内の水Ｗが導水部１０を介して補給されるため、吸水保持部２０への水補給の手間が軽減される。
【００３５】
また、本実施の形態１の着脱式花器１は、外装容器５０に装着することによって、吸水保持部２０に補給するための水を所定容量貯留する貯水部空間Ｓを確保するものであり、ホルダ部３０や外装容器５０の内部に貯水部空間Ｓを形成するための仕切り板等を組込む必要もないため、その成形が容易である。
さらに、本実施の形態１の着脱式花器１は、有底の外装容器５０に挿脱自在とされるものであるから、所望の外装容器５０に装着して貯水部空間Ｓを確保することができ、それゆえ、購入店からの持ち帰りや宅配便等の運搬の際の嵩張りを少なくすることも可能になる。
【００３６】
また、本実施の形態１の支持脚からなる離間距離形成部４０は、切削容易なプラスチック材料で構成されているため、本実施の形態１の着脱式花器１によれば、外装容器５０の高さに合わせて離間距離形成部４０を所望の長さに切削することで、外装容器５０内においてホルダ部３０を任意の位置に保持することができ、底が浅めの外装容器５０にも対応可能である。
【００３７】
ここで、貯水部空間Ｓ内への水の補給は、着脱式花器１から外装容器５０を取り外し、外装容器５０内に水Ｗを入れることによって行われる。即ち、本実施の形態１においては、導水部１０及び生花Ｆを挿入保持している吸水保持部２０を介さずして貯水部空間Ｓ内に水が補給されることになる。よって、貯水部空間Ｓ内への水の補給の際に生花Ｆの切口から流出する有機物等が外装容器５０内に流れ込み外装容器５０内にて細菌が繁殖してしまうということはない。故に、本実施の形態１の着脱式花器１によれば、水Ｗが常に新鮮な状態で導水部１０を介して吸水保持部２０に吸収されることになるため、吸水保持部２０に挿入保持されている生花Ｆの寿命を縮めることはない。また、貯水部空間Ｓ内は清潔に維持されることになる。加えて、短時間で多量の水を外装容器５０に入れることができ、水の補給にも手間がかからない。
また、本実施の形態１においては、発泡させた吸水保持部２０が用いられているため、導水部１０からの水を効率よく吸水しそれを保持でき、また、生花Ｆによって吸水されやすい。故に、本実施の形態１の着脱式花器１によれば、吸水保持部２０に挿入保持されている生花Ｆは常に十分な吸水ができることになるため鮮度を長い間保つことができる。
【００３８】
ところで、本実施の形態１の着脱式花器１は、上述の如く、吸水保持部２０の上部周壁部がホルダ部３０の内壁面に接触しているため、吸水保持部２０の周壁部側から吸水保持部２０内の水が蒸発するのが防止される。また、本実施の形態１の着脱式花器１を外装容器５０に装着した状態において、図３に示すように、ホルダ部３０の側壁部３０ｂ（外壁部）が外装容器５０の側壁部５０ｂと接触している場合には、貯水部空間Ｓが略密閉状態となるため、貯水部空間Ｓ内の水Ｗの蒸発が防止される。故に、本実施の形態１の着脱式花器１によれば、貯水部空間Ｓ内への水補給の手間を軽減することができる。
【００３９】
なお、図２及び図３に示すように、本実施の形態１の着脱式花器１は、外装容器５０に装着されて使用されるものであり、外装容器５０を併設して使用するものでないため、設置スペースをとらない。また、本実施の形態１においては、着脱式花器１が外装容器５０に装着され導水部１０が貯水部空間Ｓ内の水を吸収する状態において、導水部１０を外装容器５０によって外部から見えなくすることもできるため、吸水保持部２０に接続される導水部１０によって全体の外観が損なわれるのを防止できる。
【００４０】
このように、本実施の形態１の着脱式花器１は、有底の外装容器５０に収容された水Ｗを吸収する導水部１０と、導水部１０に接続され、導水部１０の水を吸い上げて保水ができ、かつ、生花Ｆを保持する吸水保持部２０と、吸水保持部２０を収容すると共に、外装容器５０に挿脱自在なホルダ部３０と、外装容器５０とホルダ部３０との離間距離を設ける支持脚からなる離間距離形成部４０を具備するものである。
そして、外装容器５０にホルダ部３０を収容してホルダ部３０の下端となる底部３０ａを外装容器５０の底部５０ａから所定距離離して保持することで、外装容器５０の底面との間に水Ｗを貯留する所定容積の貯水部空間Ｓを画成するものである。
【００４１】
したがって、本実施の形態１の着脱式花器１によれば、予め所定容量の水Ｗを収容した外装容器５０に装着して貯水部空間Ｓに水Ｗを貯留しておけば、生花Ｆを保持する吸水保持部２０の水が生花Ｆによって吸水されたり、蒸発したりした場合であっても、貯水部空間Ｓ内の水Ｗが毛管現象によって導水部１０から吸水保持部２０に吸吸されるため、吸水保持部２０への水補給の手間を軽減することができる。
【００４２】
また、外装容器５０に装着して貯水部空間Ｓを確保するため、外装容器５０等の内部に貯水部空間Ｓを形成するための仕切り板等を組込む必要がなく、成形が容易となる。さらに、有底の外装容器５０に挿脱自在とされるものであるから、所望の外装容器５０に装着して貯水部空間Ｓを確保することができ、それゆえ、購入店からの持ち帰りや宅配便等の運搬の際の嵩張りを少なくすることも可能になる。
そして、貯水部空間Ｓ内に水Ｗを補給する場合は、ホルダ部３０を外装容器５０から取り外すことで、吸水保持部２０を介することなく外装容器５０内に直接水Ｗを補給でき、常に貯水部空間Ｓ内の水Ｗが新鮮な状態で導水部１０を介して吸水保持部２０に吸収されることになるため、生花Ｆの寿命を縮めることがない。また、短時間で多量の水を外装容器５０（貯水部空間Ｓ）に補給することができるため、貯水部空間Ｓへの水補給にも手間がかからない。
【００４３】
このようにして、所望の外装容器５０に装着して貯水部空間Ｓを形成することで、水補給の手間を軽減することができ、かつ、成形が容易になると共に、運搬の際の嵩張りを少なくすることも可能となり、さらに、生花Ｆの寿命を縮めることのない着脱式花器１となる。
【００４４】
ここで、上述の如く、本実施の形態１の着脱式花器１は、外装容器５０とホルダ部３０との離間距離を設ける離間距離形成部４０、即ち、外装容器５０内におけるホルダ部３０の位置決めを行う離間距離形成部４０は、ホルダ部３０の下端である底部３０ａ下面から下方向に突設した支持脚であるから、本実施の形態１の着脱式花器１によれば、外装容器５０として開口が大きい容器にも対応できる。なお、支持脚からなる離間距離形成部４０は、外装容器５０の底部５０ａに配置可能、かつ、ホルダ部３０を所定の高さに支持可能な形状であれば、図１乃至図３に示すような形状に限定されるものではない。
また、本実施の形態１の支持脚からなる離間距離形成部４０は、切削容易な材料であるプラスチック材料で構成されるものであるから、外装容器５０の高さに対応して任意の長さに切削でき、本実施の形態１の着脱式花器１によれば、外装容器５０内におけるホルダ部３０の位置を任意とすることができる。よって、底が浅めの外装容器５０にも対応可能である。
【００４５】
ところで、本実施の形態１においては、外装容器５０とホルダ部３０との離間距離を設ける離間距離形成部をホルダ部３０の下端から下方向に突設した支持脚からなる離間距離形成部４０としたが、本発明を実施する場合には、例えば、外装容器５０の底部５０ａ上面（底面）から上方向に突設した支持脚からなる離間距離形成部とすることもできる。これによって、吸水保持部２０への生花Ｆの挿入を他の箇所で行い、それを特定の場所で一体化できるため、ホルダ部３０の移動、即ち、運搬が容易になる。
【００４６】
さらに、上述の如く、本実施の形態１の着脱式花器１は、吸水保持部２０を収容するホルダ部３０は、一部分に貫通孔３０ｃを有する底部３０ａと底部３０ａの周縁に立設される側壁部５０ｂとで構成され、上部開口３０Ａを有する容器からなるため、組み付けに吸水保持部２０及びホルダ部３０相互間の高い寸法精度を必要とせず、また、機械的係合手段等を用いることなく吸水保持部２０をホルダ部３０に収容することができる。よって、本実施の形態１の着脱式花器１によれば、ホルダ部３０への吸水保持部２０の組み付けが容易である。
なお、上述した如く、別途使用者によって用意される外装容器５０としては、一般的に家庭に普及している飲料用のコップ等の容器が用いられるが、これらは、通常持ちやすいように上方に拡径するテーパ状に形成されている。このため、このような外装容器５０に対応できるよう、本実施の形態１のホルダ部３０は、上方に拡径するテーパ状の逆円錐台形状に形成されている。しかし、本発明を実施する場合には、ホルダ部３０の形状はこれに限定されるものではない。
【００４７】
また、本実施の形態１の着脱式花器１は、吸水保持部２０の上部周壁部がホルダ部３０の内壁面に接触しているため、吸水保持部２０の周壁部側からの水の蒸発を防止することができる。
なお、本発明を実施する場合には、吸水保持部２０の形状は、上記逆円錐台形状に限定されるものではなく、例えば、直方体形状、立方体形状、球形状、円柱形状、角柱形状、四角錐台形状等とすることもでき、さらには、吸水保持部２０の上面を凸曲面形状とすることもできる。これにより、生花Ｆの立体的装飾が容易となる。
【００４８】
なお、本発明を実施する場合には、導水部１０と吸水保持部２０との接続箇所は上記形態に限定されるものではなく、例えば、導水部１０が挿入される貫通孔３０ｃをホルダ部３０の側壁部３０ｂに形成し、導水部１０の一端をホルダ部３０の外壁部側から垂下させ、他端をホルダ部３０の内壁部側に配設させて吸水保持部２０の周壁部に接続させることも可能である。
【００４９】
［実施の形態２］
次に、本発明の実施の形態２に係る着脱式花器１００について、図４を参照して説明する。本発明の実施の形態２において、実施の形態１との相違点は、図４（ａ）に示すように、吸収保持部として原形がホルダ部３０の深さａより大きい高さｂを有する略直方体形状の発泡の吸水保持部２０’を用いた点にある。その他の構成は、実施の形態１と同じであるから、その説明を省略する。また、図４において、吸水保持部２０’に挿入保持される生花Ｆは省略されている。
【００５０】
本実施の形態２においては、一般的に吸水保持部として使用されるオアシス社製の「オアシス（登録商標）」等の発泡性合成樹脂が吸水状態において外部からの押圧力により多少の変形が可能になるという性質に着目し、また、略直方体形状または略四角錐台形状のものであれば、コスト的に廉価に入手できることに注目し、原形が略直方体形状の吸水保持部２０’を用いて、ホルダ部３０への装着状態においてその上面を凸曲面形状としたものである。
即ち、本実施の形態２の着脱式花器１００は、図４（ａ）に示すように、原形がホルダ部３０の深さａより大きい高さｂを有する略直方体形状の吸水保持部２０’を吸水状態で、ホルダ部３０に挿入し、さらに、吸水保持部２０’においてホルダ部３０からはみ出た部分ｃの上部周囲部を、図４（ｂ）に示すように、ホルダ部３０の開口縁部３０Ｂに向かって押圧変形して接触させ、ホルダ部３０に装着させることで、吸水保持部２０’の上面を凸曲面形状としたものである。
なお、原形が略直方体形状の吸水保持部２０’の高さｂは、原形状態でホルダ部３０に挿入された際に、ホルダ部３０からはみ出る部分ｃの長さがホルダ部３０の開口縁部３０Ｂと吸水保持部２０’との距離ｄよりも大きくなるように考慮されて設定される。
【００５１】
したがって、本実施の形態２の着脱式花器１００は、吸水保持部２０’の上面が凸曲面形状となっているため、吸水保持部２０’に挿入保持される生花Ｆの立体的装飾を容易とし、また、少量の生花Ｆでボリューム感を出させることも可能である。しかも、コスト的に廉価に入手できる原形が略直方体形状の吸水保持部２０’を利用してその上面を凸曲面形状としていることから、低コストで生花Ｆ（図示省略）の立体的装飾が容易となる。加えて、吸水保持部２０’の上部がホルダ部３０の開口縁部３０Ｂに接触しているため、吸水保持部２０’の周壁部側からの水の蒸発が防止される。
【００５２】
このように、本実施の形態２の着脱式花器１００は、導水部１０に接続され導水部１０の水を吸い上げて保水し、かつ、生花Ｆを保持する吸収保持部は、原形がホルダ部３０の深さａより大きい高さｂを有する略直方体形状に形成された発泡の吸水保持部２０’からなり、この吸水保持部２０’をホルダ部３０に挿入し、さらに、ホルダ部３０からはみ出た部分ｃの吸水保持部２０’の上部周囲部をホルダ部３０の開口縁部３０Ｂに向かって押圧変形して接触させることで、その上面を凸曲面形状としたものである。
【００５３】
よって、本実施の形態２の着脱式花器１００によれば、低コストで、生花Ｆ（図示省略）の立体的装飾が容易にでき、かつ、吸水保持部２０’の周壁部側からの水の蒸発を防止することができる。
なお、本発明を実施する場合には、吸水保持部２０’として、コスト的に廉価に入手できる略四角錐台形状のものを用いることも可能である。
【００５４】
［実施の形態３］
次に、本発明の実施の形態３に係る着脱式花器２００について、図５及び図６を参照して説明する。本発明の実施の形態３において、実施の形態１との相違点は、導水部として複数の紐からなる導水部１１を用い、この導水部１１を吸水保持部２０の半分の高さより上まで食い込ませた点と、離間距離形成部をホルダ部３０の開口縁部３０Ｂから外周方向に突設したフランジからなる離間距離形成部６０とした点にあり、その他の構成は、実施の形態１と同じであるから、その説明を省略する。
【００５５】
即ち、図５及び図６に示すように、本実施の形態３に係る着脱式花器２００は、水Ｗを吸収する複数の紐からなる導水部１１と、導水部１１に接続され、導水部１１の水を吸水して保水し、かつ、生花Ｆ（図示省略）を保持する逆円錐台形状の発泡性合成樹脂からなる吸水保持部２０と、吸水保持部２０を収容する容器としての逆円錐台形状のホルダ部３０と、ホルダ部３０の開口縁部３０Ｂから延設された断面略逆Ｕ字状のフランジからなる離間距離形成部６０とを有しており、有底の外装容器５０に挿脱自在とされるものである。
なお、図５及び図６において、吸水保持部２０に挿入保持される生花Ｆは省略されている。
【００５６】
複数の導水部１１は、毛細管現象によって外装容器５０に収容された水Ｗを吸水するものであり、本実施の形態３においては、ホルダ部３０の底部３０ａに形成された複数の貫通孔３０ｃ’に挿入されている。そして、その一端側がホルダ部３０の外部に配設され、その他端側がホルダ部３０の内部に配設されている吸水保持部２０に接続している。具体的には、本実施の形態３の複数の導水部１１は、吸水保持部２０の半分の高さより上まで食い込ませることによって吸水保持部２０に接続している。
【００５７】
また、フランジからなる離間距離形成部６０は、本実施の形態３の着脱式花器２００を外装容器５０に挿入した際に、外装容器５０の側壁部５０ｂに接触してホルダ部３０を外装容器５０の上端に配置することで、ホルダ部３０の底部３０ａを外装容器５０の底部５０ａから所定距離離して保持するものである。また、本実施の形態３のフランジからなる離間距離形成部６０は、ホルダ部３０の開口縁部３０Ｂから外周方向に一体に折曲形成されものであり、外装容器５０の側壁部５０ｂへの接触状態が安定されるよう、ホルダ部３０の開口縁部３０Ｂの全周に亘って形成されている。
【００５８】
そして、本実施の形態３の着脱式花器２００も、図５及び図６に示すように、別途使用者によって用意される有底の外装容器５０の内部に挿入されて使用されるものである。
ここで、本実施の形態３においては、着脱式花器２００におけるホルダ部３０の開口縁部３０Ｂから断面略逆Ｕ字状のフランジからなる離間距離形成部６０が外周方向に突設されているため、図６（ａ）に示すように、本実施の形態３の着脱式花器２００を開口が小さめの外装容器５０’に挿入すると、フランジからなる離間距離形成部６０が外装容器５０’の側壁部５０ｂ’の外壁面に接触し、また、図６（ｂ）に示すように、開口が大きめの外装容器５０”の場合には、外装容器５０”の側壁部５０ｂ”に接触し、外装容器５０内において、ホルダ部３０の底部３０ａが外装容器５０の底部５０ａから所定距離離れた位置に保持される。即ち、フランジからなる離間距離形成部６０によってホルダ部３０は外装容器５０内で位置決めされる。
このため、本実施の形態３においても、着脱式花器２００が外装容器５０の内部に装着された状態において、着脱式花器２００及び外装容器５０の間には、水Ｗを貯留するための所定容積の貯水部空間Ｓが画成されている。
また、このとき、一端を吸水保持部２０に食い込ませた導水部１１の他端は、ホルダ部３０の底部３０ａ下面から下方向に垂下した状態にある。
【００５９】
よって、図６に示すように、予め所定容量の水Ｗを入れた外装容器５０に装着された着脱式花器２００においても、ホルダ部３０の底部３０ａ下面から下方向に垂下している導水部１１の一端から毛細管現象によって貯水部空間Ｓ内の水Ｗが吸収される。また、導水部１１の他端が、生花Ｆ（図示省略）が挿入保持されている吸水保持部２０内に配設されているため、導水部１１に吸収された貯水部空間Ｓ内の水Ｗは、更に吸水保持部２０に吸吸される。
【００６０】
殊に、本実施の形態３の着脱式花器２００によれば、吸水保持部２０の半分の高さより上まで導水部１１が食い込まれているから、吸水保持部２０に挿入保持された生花Ｆ（図示省略）の位置に関わらず、生花Ｆに貯水部空間Ｓ内の水Ｗが新鮮な状態で吸収されることになり、一様に生花Ｆ（図示省略）の鮮度が保たれることになる。
【００６１】
また、本実施の形態３の着脱式花器２００は、ホルダ部３０の開口縁部３０Ｂから外周方向に延出したフランジからなる離間距離形成部６０を外装容器５０の側壁部５０ｂに接触させることでホルダ部３０の底部３０ａを外装容器５０内の底部５０ａから所定距離離して保持するものであり、離間距離形成部６０が外装容器５０の側壁部５０ｂに接触するため、貯水部空間Ｓが略密閉されることになる。よって、本実施の形態３の着脱式花器２００によれば、貯水部空間Ｓ内の水Ｗの蒸発が防止される。
さらに、本実施の形態３の着脱式花器２００においても、吸水保持部２０の上部周壁部がホルダ部３０の内壁面に接触しているため、吸水保持部２０の周壁部側からの吸水保持部２０内の水の蒸発が防止される。
故に、本実施の形態３の着脱式花器２００によれば、貯水部空間Ｓへの水補給の手間が一段と軽減される。
【００６２】
このように、本実施の形態３の着脱式花器２００は、有底の外装容器５０に収容された水Ｗを吸収する複数の紐からなる導水部１１と、導水部１１に接続され、導水部１１の水を吸い上げて保水し、かつ、生花Ｆ（図示省略）を保持する発泡性合成樹脂からなる吸水保持部２０と、吸水保持部２０を収容すると共に、外装容器５０に挿脱自在なホルダ部３０と、外装容器５０とホルダ部３０との離間距離を設けるフランジからなる離間距離形成部６０を具備するものである。
そして、外装容器５０にホルダ部３０を収容してホルダ部３０の下端となる底部３０ａを外装容器５０の底部５０ａから所定距離離して保持することで、外装容器５０の底面との間に水Ｗを貯留する所定容積の貯水部空間Ｓを画成するものである。
【００６３】
したがって、本実施の形態３の着脱式花器２００によれば、予め所定容量の水Ｗを収容した外装容器５０に装着して貯水部空間Ｓに水Ｗを貯留しておけば、生花Ｆ（図示省略）を保持する吸水保持部２０の水が生花Ｆ（図示省略）によって吸水されたり、蒸発したりした場合であっても、貯水部空間Ｓ内の水Ｗが毛細管現象によって導水部１１から吸水保持部２０に吸吸されるため、吸水保持部２０への水補給の手間を軽減することができる。
【００６４】
また、ホルダ部３０や外装容器５０の内部に貯水部空間Ｓを形成するための仕切り板等を組込む必要がないため、成形が容易になる。さらに、有底の外装容器５０に挿脱自在とされるものであるから、所望の外装容器５０に装着して貯水部空間Ｓを確保することができ、それゆえ、購入店からの持ち帰りや宅配便等の運搬の際の嵩張りを少なくすることも可能になる。
そして、貯水部空間Ｓ内に水Ｗを補給する場合は、ホルダ部３０を外装容器５０から取り外すことで、吸水保持部２０を介することなく外装容器５０内に直接水Ｗを補給できるため、常に貯水部空間Ｓ内の水Ｗが新鮮な状態で導水部１１を介して吸水保持部２０に吸水されことになるため、生花Ｆの寿命を縮めることがない。また、短時間で多量の水を外装容器５０（貯水部空間Ｓ）に補給することができるため、貯水部空間Ｓへの水補給にも手間がかからない。
殊に、本実施の形態３の着脱式花器２００によれば、吸水保持部２０の半分の高さより上まで導水部１１が食い込まれているから、吸水保持部２０に挿入保持されている生花Ｆ（図示省略）の位置に関わらず生花Ｆ（図示省略）に貯水部空間Ｓ内の水を新鮮な状態で吸収させることができ、一様に生花Ｆ（図示省略）の鮮度を保つことが可能になる。
【００６５】
このようにして、所望の外装容器５０に装着して貯水部空間Ｓを形成することで、水補給の手間を軽減することができ、かつ、成形が容易になると共に、運搬の際の嵩張りを少なくすることも可能となり、さらに、生花Ｆ（図示省略）の寿命を縮めることのない着脱式花器２００となる。
【００６６】
ここで、本実施の形態３においては、外装容器５０とホルダ部３０との離間距離を設ける離間距離形成部６０は、即ち、外装容器５０内におけるホルダ部３０の位置決めを行う離間距離形成部６０は、ホルダ部３０の開口縁部３０Ｂから外周方向に突設したフランジであるから、本実施の形態３の着脱式花器２００によれば、底が深めの外装容器５０にも対応できる。
また、離間距離形成部６０が外装容器５０の側壁部５０ｂに必ず接触することになるので、貯水部空間Ｓが略密閉となる。よって、貯水部空間Ｓ内の水Ｗの蒸発を防止することができる。さらに、本実施の形態３の着脱式花器２００においても、吸水保持部２０の上部周壁部がホルダ部３０の内壁面に接触しているため、吸水保持部２０の周壁部側から吸水保持部２０内の水が蒸発するのを防止することができる。
故に、本実施の形態３の着脱式花器２００によれば、貯水部空間Ｓへの水補給の手間を一段と軽減することができる。
なお、離間距離形成部６０は、ホルダ部３０を所定の高さに保持可能とさせる形状であれば、図５及び図６に示すような形状に限定されるものではなく、例えば、厚みのある円板形状等とすることもできる
【００６７】
ところで、上記各実施の形態においては、固形状の吸水保持部２０、２０’を使用したが、本発明を実施する場合には、これに限定されるものではなく、粉末状、粒子状、ジェル状等の様々な形態の吸水保持部を使用することもできる。特に、粉末状、粒子状のものを使用した場合には、吸水保持部の再利用を期待できる。
また、本発明を実施する場合には、離間距離形成部として支持脚からなる離間距離形成部４０及びフランジからなる離間距離形成部６０の両方を形成することできる。これにより、装着可能な外装容器の種類が広がり、外装容器の選択自由度が高くなる。
【符号の説明】
【００６８】
１、１００、２００  着脱式花器
１０          導水部（不織布）
１１          導水部（紐）
２０  ２０’  吸水保持部
３０          ホルダ部
３０ａ        底部
３０ｂ        側壁部
３０ｃ        貫通孔
３０Ａ        開口
４０          離間距離形成部（支持脚）
５０          外装容器
６０          離間距離形成部（フランジ）
Ｆ            生花
Ｓ            貯水部空間
【図１】
2011172696.tif 000003
【図２】
2011172696.tif 000004
【図３】
2011172696.tif 000005
【図４】
2011172696.tif 000006
【図５】
2011172696.tif 000007
【図６】
2011172696.tif 000008